【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
第１の送信ポイントのためのワイヤレス通信の方法であって、
スケジューラによって、前記第１の送信ポイントによってサービスされているユーザ機器（ＵＥ）のためのＤＬ許可を含む第１のダウンリンク（ＤＬ）制御チャネルを構成することであって、この構成が、第２の送信ポイントによってサービスされる少なくとも１つの被干渉ＵＥによる前記第１のＤＬ制御チャネルに含まれる前記ＤＬ許可の復号を可能にするものである、構成することと、
前記第１のＤＬ制御チャネルを送信することと
を備える、方法。
【請求項２】
前記第１の送信ポイントと前記第２の送信ポイントとは同じセル識別子（ＣＩＤ）を共有する、請求項１に記載の方法。
【請求項３】
前記第１のＤＬ制御チャネルを前記構成することは、前記少なくとも１つのＵＥによる前記ＤＬ制御チャネルの検出を可能にするために、前記少なくとも１つのＵＥの１つまたは複数の無線状態に基づいて前記第１のＤＬ制御チャネルの送信電力を増加させることを備え、
前記送信することは、前記増加した送信電力を用いて前記ＤＬ制御チャネルを送信することを備える、請求項１に記載の方法。
【請求項４】
前記第１のＤＬ制御チャネルを前記構成することは、前記第１のＤＬ制御チャネルのために、前記少なくとも１つのＵＥによって監視される探索空間中に含まれるリソースを割り振ることを備え、
特に、前記第１のＤＬ制御チャネルのためにリソースを前記割り振ることは、選択された探索空間を監視するように割り当てられ得るＵＥを選択することをさらに備える、請求項１に記載の方法。
【請求項５】
前記第１のＤＬ制御チャネルを前記構成することは、前記第１のＤＬ制御チャネルのために第１の数のリソースを割り振ることを備え、リソースの前記第１の数は、第２のＤＬ制御チャネルのために前記第２の送信ポイントによって前記少なくとも１つのＵＥに割り振られたリソースの第２の数に等しいかまたはそれよりも大きい、請求項１に記載の方法、または、
前記第１の送信ポイントによってサービスされている前記ＵＥのための第１の物理ダウンリンク共有チャネル（ＰＤＳＣＨ）を構成することであって、前記第１のＰＤＳＣＨは、前記第２の送信ポイントによってサービスされている前記少なくとも１つのＵＥのための第２のＰＤＳＣＨのリソースと実質的に整合されたリソースを備える、構成することと、
前記第１のＰＤＳＣＨを送信することと
をさらに備える、請求項１に記載の方法。
【請求項６】
前記第１のＤＬ制御チャネルは、前記第２の送信ポイントによってサービスされている前記少なくとも１つのＵＥのための第２の物理ダウンリンク共有チャネル（ＰＤＳＣＨ）に干渉する第１のＰＤＳＣＨに対応する、請求項１に記載の方法、
または、前記第２の送信ポイントによってサービスされている前記少なくとも１つのＵＥが、前記第１の送信ポイントによってサービスされている前記ＵＥの第１の物理ダウンリンク共有チャネル（ＰＤＳＣＨ）からの干渉を受けるかどうかを決定することをさらに備える、請求項１に記載の方法、
または、前記第２の送信ポイントによってサービスされている前記少なくとも１つのＵＥが、前記第１の送信ポイントによってサービスされている前記ＵＥのための前記第１のＤＬ制御チャネルを復号する能力を備えると決定することをさらに備える、請求項１に記載の方法、
または、前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、請求項１に記載の方法、
または、前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、請求項１に記載の方法。
【請求項７】
ユーザ機器（ＵＥ）のためのワイヤレス通信の方法であって、
サービング送信ポイントと通信することと、
干渉送信ポイントからのＤＬ許可を含む第１のダウンリンク（ＤＬ）制御チャネルを復号することであって、前記第１のＤＬ制御チャネルは、スケジューラによって、前記ＵＥによる前記第１のＤＬ制御チャネルに含まれる前記ＤＬ許可の前記復号を可能にするように構成されている、復号することと
を備える、方法。
【請求項８】
ワイヤレス通信のための第１の送信ポイントであって、
メモリと、
前記メモリに結合され、
前記第１の送信ポイントによってサービスされているユーザ機器（ＵＥ）のためのＤＬ許可を含む第１のダウンリンク（ＤＬ）制御チャネルを構成するように構成されたスケジューラを実装することであって、この構成は、第２の送信ポイントによってサービスされている少なくとも１つの被干渉ＵＥによる前記第１のＤＬ制御チャネルに含まれる前記ＤＬ許可の復号を可能にするものである、実装することと、
前記第１のＤＬ制御チャネルを送信することと
を行うように構成される少なくとも１つのプロセッサと
を備える、第１の送信ポイント。
【請求項９】
前記第１の送信ポイントと前記第２の送信ポイントとは同じセル識別子（ＣＩＤ）を共有する、請求項８に記載の方法。
【請求項１０】
前記少なくとも１つのプロセッサは、前記少なくとも１つのＵＥによる前記ＤＬ制御チャネルの検出を可能にするために、前記少なくとも１つのＵＥの１つまたは複数の無線状態に基づいて前記第１のＤＬ制御チャネルの送信電力を増加させることによって、前記第１のＤＬ制御チャネルを構成するように構成され、
前記少なくとも１つのプロセッサは、前記増加した送信電力を用いて前記ＤＬ制御チャネルを送信することによって前記第１のＤＬ制御チャネルを送信するように構成される、請求項８に記載の第１の送信ポイント。
【請求項１１】
前記少なくとも１つのプロセッサは、前記第１のＤＬ制御チャネルのために、前記少なくとも１つのＵＥによって監視される探索空間中に含まれるリソースを割り振ることによって、前記第１のＤＬ制御チャネルを構成するように構成され、
特に、前記少なくとも１つのプロセッサは、選択された探索空間を監視するように割り当てられ得るＵＥを選択することによって、前記第１のＤＬ制御チャネルのためにリソースを割り振るように構成される、請求項８に記載の第１の送信ポイント。
【請求項１２】
前記少なくとも１つのプロセッサは、前記第１のＤＬ制御チャネルのために第１の数のリソースを割り振ることによって前記第１のＤＬ制御チャネルを構成するように構成され、リソースの前記第１の数は、第２のＤＬ制御チャネルのために前記第２の送信ポイントによって前記少なくとも１つのＵＥに割り振られたリソースの第２の数に等しいかまたはそれよりも大きい、請求項８に記載の第１の送信ポイント、または、
前記少なくとも１つのプロセッサは、前記第１の送信ポイントによってサービスされている前記ＵＥのための第１の物理ダウンリンク共有チャネル（ＰＤＳＣＨ）を構成することであって、前記第１のＰＤＳＣＨは、前記第２の送信ポイントによってサービスされている前記少なくとも１つのＵＥのための第２のＰＤＳＣＨのリソースと実質的に整合されたリソースを備える、構成することと、
前記第１のＰＤＳＣＨを送信することと
を行うようにさらに構成される、請求項８に記載の第１の送信ポイント。
【請求項１３】
前記第１のＤＬ制御チャネルは、前記第２の送信ポイントによってサービスされている前記少なくとも１つのＵＥのための第２の物理ダウンリンク共有チャネル（ＰＤＳＣＨ）に干渉する第１のＰＤＳＣＨに対応する、請求項８に記載の第１の送信ポイント、または、
前記少なくとも１つのプロセッサは、前記第２の送信ポイントによってサービスされている前記少なくとも１つのＵＥが、前記第１の送信ポイントによってサービスされている前記ＵＥの第１の物理ダウンリンク共有チャネル（ＰＤＳＣＨ）からの干渉を受けるかどうかを決定するようにさらに構成される、請求項８に記載の第１の送信ポイント、または、
前記少なくとも１つのプロセッサは、前記第２の送信ポイントによってサービスされている前記少なくとも１つのＵＥが、前記第１の送信ポイントによってサービスされている前記ＵＥのための前記第１のＤＬ制御チャネルを復号する能力を備えると決定するようにさらに構成される、請求項８に記載の第１の送信ポイント、または、
前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、請求項８に記載の第１の送信ポイント、または、
前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、請求項８に記載の第１の送信ポイント。
【請求項１４】
ワイヤレス通信のためのユーザ機器（ＵＥ）であって、
メモリと、
前記メモリに結合されて、
サービング送信ポイントと通信し、
干渉送信ポイントからのＤＬ許可を含む第１のダウンリンク（ＤＬ）制御チャネルを復号するように構成され、前記第１のＤＬ制御チャネルは、スケジューラによって、前記ＵＥによる前記第１のＤＬ制御チャネルに含まれる前記ＤＬ許可の前記復号を可能にするように構成されている、少なくとも１つのプロセッサと
を備える、ＵＥ。
【請求項１５】
コンピュータ上で実行されたとき、請求項１〜請求項７のうちのいずれか一項に記載のステップを行うためのコンピュータ可読命令を備えるコンピュータプログラム。
【手続補正２】
【補正対象書類名】明細書
【補正対象項目名】００７６
【補正方法】変更
【補正の内容】
【００７６】
[0091]  以上の説明は、当業者が本明細書で説明された様々な態様を実践できるようにするために提供される。これらの態様に対する様々な変更は当業者には容易に明らかであり、本明細書で定義した一般的原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されていない限り、「唯一無二の」を意味するものでなく、「１つまたは複数の」を意味するものである。「例示的」という単語は、本明細書で「例、事例、または例示の働きをすること」を意味するために使用する。「例示的」として本明細書で説明するいかなる態様も、必ずしも他の態様よりも好適または有利なものと解釈すべきでない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、並びに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素の全ての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものでない。いかなるクレーム要素も、その要素が「ための手段」という語句を使用して明確に具陳されていない限り、ミーンズプラスファンクションとして解釈されるべきでない。
以下に本願の出願当初の特許請求の範囲に記載された発明を付記する。
[Ｃ１]  第１の送信ポイントのためのワイヤレス通信の方法であって、
前記第１の送信ポイントによってサービスされているユーザ機器（ＵＥ）のための第１のダウンリンク（ＤＬ）制御チャネルを構成することであって、この構成が、第２の送信ポイントによってサービスされる少なくとも１つのＵＥによる前記第１のＤＬ制御チャネルの復号を可能にするものである、構成することと、
前記第１のＤＬ制御チャネルを送信することとを備える、方法。
[Ｃ２]  前記第１の送信ポイントは第１の基地局であり、前記第２の送信ポイントは第２の基地局である、Ｃ１に記載の方法。
[Ｃ３]  前記第１の送信ポイントと前記第２の送信ポイントとは同じセル識別子（ＣＩＤ）を共有する、Ｃ１に記載の方法。
[Ｃ４]  前記第１のＤＬ制御チャネルを前記構成することは、前記少なくとも１つのＵＥによる前記ＤＬ制御チャネルの検出を可能にするために、前記少なくとも１つのＵＥの１つまたは複数の無線状態に基づいて前記第１のＤＬ制御チャネルの送信電力を増加させることを備え、
前記送信することは、前記増加した送信電力を用いて前記ＤＬ制御チャネルを送信することを備える、Ｃ１に記載の方法。
[Ｃ５]  前記第１のＤＬ制御チャネルを前記構成することは、前記第１のＤＬ制御チャネルのために、前記少なくとも１つのＵＥによって監視される探索空間中に含まれるリソースを割り振ることを備える、Ｃ１に記載の方法。
[Ｃ６]  前記第１のＤＬ制御チャネルのためにリソースを前記割り振ることは、選択された探索空間を監視するように割り当てられ得るＵＥを選択することをさらに備える、Ｃ５に記載の方法。
[Ｃ７]  前記第１のＤＬ制御チャネルを前記構成することは、前記第１のＤＬ制御チャネルのために第１の数のリソースを割り振ることを備え、リソースの前記第１の数は、第２のＤＬ制御チャネルのために前記第２の送信ポイントによって前記少なくとも１つのＵＥに割り振られたリソースの第２の数に等しいかまたはそれよりも大きい、Ｃ１に記載の方法。
[Ｃ８]  前記第１の送信ポイントによってサービスされている前記ＵＥのための第１の物理ダウンリンク共有チャネル（ＰＤＳＣＨ）を構成することであって、前記第１のＰＤＳＣＨは、前記第２の送信ポイントによってサービスされている前記少なくとも１つのＵＥのための第２のＰＤＳＣＨのリソースと実質的に整合されたリソースを備える、構成することと、
前記第１のＰＤＳＣＨを送信することとをさらに備える、Ｃ１に記載の方法。
[Ｃ９]  前記第１のＤＬ制御チャネルは、前記第２の送信ポイントによってサービスされている前記少なくとも１つのＵＥのための第２の物理ダウンリンク共有チャネル（ＰＤＳＣＨ）に干渉する第１のＰＤＳＣＨに対応する、Ｃ１に記載の方法。
[Ｃ１０]  前記第２の送信ポイントによってサービスされている前記少なくとも１つのＵＥが、前記第１の送信ポイントによってサービスされている前記ＵＥの第１の物理ダウンリンク共有チャネル（ＰＤＳＣＨ）からの干渉を受けるかどうかを決定することをさらに備える、Ｃ１に記載の方法。
[Ｃ１１]  前記第２の送信ポイントによってサービスされている前記少なくとも１つのＵＥが、前記第１の送信ポイントによってサービスされている前記ＵＥのための前記第１のＤＬ制御チャネルを復号する能力を備えると決定することをさらに備える、Ｃ１に記載の方法。
[Ｃ１２]  前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、Ｃ１に記載の方法。
[Ｃ１３]  前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、Ｃ１に記載の方法。
[Ｃ１４]  ユーザ機器（ＵＥ）のためのワイヤレス通信の方法であって、
サービング送信ポイントと通信することと、
干渉送信ポイントからの第１のダウンリンク（ＤＬ）制御チャネルを復号することであって、前記第１のＤＬ制御チャネルは、前記ＵＥによる前記第１のＤＬ制御チャネルの前記復号を可能にするように構成されている、復号することとを備える、方法。
[Ｃ１５]  前記サービング送信ポイントは第１の基地局であり、前記干渉送信ポイントは第２の基地局である、Ｃ１４に記載の方法。
[Ｃ１６]  前記サービング送信ポイントと前記干渉送信ポイントとは同じセル識別子（ＣＩＤ）を共有する、Ｃ１４に記載の方法。
[Ｃ１７]  ワイヤレス通信のための第１の送信ポイントであって、
メモリと、
前記メモリに結合され、
前記第１の送信ポイントによってサービスされているユーザ機器（ＵＥ）のための第１のダウンリンク（ＤＬ）制御チャネルを構成することであって、この構成は、第２の送信ポイントによってサービスされている少なくとも１つのＵＥによる前記第１のＤＬ制御チャネルの復号を可能にするものである、構成することと、
前記第１のＤＬ制御チャネルを送信することと
を行うように構成される少なくとも１つのプロセッサとを備える、第１の送信ポイント。
[Ｃ１８]  前記第１の送信ポイントは第１の基地局であり、前記第２の送信ポイントは第２の基地局である、Ｃ１７に記載の方法。
[Ｃ１９]  前記第１の送信ポイントと前記第２の送信ポイントとは同じセル識別子（ＣＩＤ）を共有する、Ｃ１７に記載の方法。
[Ｃ２０]  前記少なくとも１つのプロセッサは、前記少なくとも１つのＵＥによる前記ＤＬ制御チャネルの検出を可能にするために、前記少なくとも１つのＵＥの１つまたは複数の無線状態に基づいて前記第１のＤＬ制御チャネルの送信電力を増加させることによって、前記第１のＤＬ制御チャネルを構成するように構成され、
前記少なくとも１つのプロセッサは、前記増加した送信電力を用いて前記ＤＬ制御チャネルを送信することによって前記第１のＤＬ制御チャネルを送信するように構成される、Ｃ１７に記載の第１の送信ポイント。
[Ｃ２１]  前記少なくとも１つのプロセッサは、前記第１のＤＬ制御チャネルのために、前記少なくとも１つのＵＥによって監視される探索空間中に含まれるリソースを割り振ることによって、前記第１のＤＬ制御チャネルを構成するように構成される、Ｃ１７に記載の第１の送信ポイント。
[Ｃ２２]  前記少なくとも１つのプロセッサは、選択された探索空間を監視するように割り当てられ得るＵＥを選択することによって、前記第１のＤＬ制御チャネルのためにリソースを割り振るように構成される、Ｃ２１に記載の第１の送信ポイント。
[Ｃ２３]  前記少なくとも１つのプロセッサは、前記第１のＤＬ制御チャネルのために第１の数のリソースを割り振ることによって前記第１のＤＬ制御チャネルを構成するように構成され、リソースの前記第１の数は、第２のＤＬ制御チャネルのために前記第２の送信ポイントによって前記少なくとも１つのＵＥに割り振られたリソースの第２の数に等しいかまたはそれよりも大きい、Ｃ１７に記載の第１の送信ポイント。
[Ｃ２４]  前記少なくとも１つのプロセッサは、
前記第１の送信ポイントによってサービスされている前記ＵＥのための第１の物理ダウンリンク共有チャネル（ＰＤＳＣＨ）を構成することであって、前記第１のＰＤＳＣＨが、前記第２の送信ポイントによってサービスされている前記少なくとも１つのＵＥのための第２のＰＤＳＣＨのリソースと実質的に整合されたリソースを備える、構成することと、
前記第１のＰＤＳＣＨを送信することとを行うようにさらに構成される、Ｃ１７に記載の第１の送信ポイント。
[Ｃ２５]  前記第１のＤＬ制御チャネルは、前記第２の送信ポイントによってサービスされている前記少なくとも１つのＵＥのための第２の物理ダウンリンク共有チャネル（ＰＤＳＣＨ）に干渉する第１のＰＤＳＣＨに対応する、Ｃ１７に記載の第１の送信ポイント。
[Ｃ２６]  前記少なくとも１つのプロセッサは、前記第２の送信ポイントによってサービスされている前記少なくとも１つのＵＥが、前記第１の送信ポイントによってサービスされている前記ＵＥの第１の物理ダウンリンク共有チャネル（ＰＤＳＣＨ）からの干渉を受けるかどうかを決定するようにさらに構成される、Ｃ１７に記載の第１の送信ポイント。
[Ｃ２７]  前記少なくとも１つのプロセッサは、前記第２の送信ポイントによってサービスされている前記少なくとも１つのＵＥが、前記第１の送信ポイントによってサービスされている前記ＵＥのための前記第１のＤＬ制御チャネルを復号する能力を備えると決定するようにさらに構成される、Ｃ１７に記載の第１の送信ポイント。
[Ｃ２８]  前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、Ｃ１７に記載の第１の送信ポイント。
[Ｃ２９]  前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、Ｃ１７に記載の第１の送信ポイント。
[Ｃ３０]  ワイヤレス通信のためのユーザ機器（ＵＥ）であって、
メモリと、
前記メモリに結合されて、
サービング送信ポイントと通信し、
干渉送信ポイントからの第１のダウンリンク（ＤＬ）制御チャネルを復号するように構成され、前記第１のＤＬ制御チャネルは、前記ＵＥによる前記第１のＤＬ制御チャネルの前記復号を可能にするものである、少なくとも１つのプロセッサとを備える、ＵＥ。